(57)【要約】【課題】  より向上した生産性と剛性を保有するシャーシベースと，このシャーシベースを用いて製作されるプラズマディスプレイパネル装置を提供する。【解決手段】  略多角形状を有し，各コーナー部分を切り欠くようにして各辺に側壁部１１５が設けられたシャーシベース１６０と，コーナー部分に装着される複数の連結部材１７１と，を備え，側壁部は，シャーシベース１６０の内面に対して所定の角度に折り曲げられ，連結部材１７１は，シャーシベースとは別の部材であって，コーナーに結合されるプラズマディスプレイ装置用シャーシベースユニット。【選択図】    図１
2005115381.tif 000002
【特許請求の範囲】
【請求項１】
略多角形状を有し，
各コーナー部分を切り欠くようにして各辺に側壁部が設けられたシャーシベースと，
前記コーナー部分に装着される複数の連結部材と，を備え，
前記側壁部は，シャーシベースの内面に対して所定の角度に折り曲げられ，
前記連結部材は，前記シャーシベースとは別の部材であって，前記コーナーに結合されることを特徴とする，プラズマディスプレイ装置用シャーシベースユニット。
【請求項２】
前記略多角形状の各辺に設けられた前記側壁部は，前記連結部材によって互いに連結されることを特徴とする，請求項１に記載のプラズマディスプレイ装置用シャーシベースユニット。
【請求項３】
前記シャーシベースの内面は，前記連結部材と結合されることを特徴とする，請求項２に記載のプラズマディスプレイ装置用シャーシベースユニット。
【請求項４】
前記連結部材は，互いに連結された第１側壁と第２側壁とを含み，
前記略多角形状の各辺に設けられた前記側壁部は，前記連結部材の前記第１側壁と前記第２側壁に連結されることを特徴とする，請求項１〜３のいずれかに記載のプラズマディスプレイ装置用シャーシベースユニット。
【請求項５】
略多角形状を有し，
各コーナー部分を切り欠くようにして各辺に側壁部が設けられたシャーシベースと，
前記コーナー部分に装着される複数の連結部材と，を備え，
前記側壁部は，シャーシベースの内面に対して所定の角度に折り曲げられ，
前記連結部材は，前記シャーシベースとは別の部材であって，前記側壁部に結合されることを特徴とする，プラズマディスプレイ装置用シャーシベースユニット。
【請求項６】
前記連結部材は，互いに連結された第１側壁と第２側壁を含み，
前記略多角形状の各辺に設けられた前記側壁部は，前記連結部材の前記第１側壁と前記第２側壁に連結されることを特徴とする，請求項５に記載のプラズマディスプレイ装置用シャーシベースユニット。
【請求項７】
前記シャーシベースの内面は，前記連結部材と結合されることを特徴とする，請求項６に記載のプラズマディスプレイ装置用シャーシベースユニット。
【請求項８】
前記連結部材は，前記前記コーナー部分に結合されることを特徴とする，請求項６または７のいずれかに記載のプラズマディスプレイ装置用シャーシベースユニット。
【請求項９】
前記連結部材は，前記シャーシベースの外周面の外に突出した突出部を備え，
前記突出部の内部には一つ以上の貫通孔が設けられたことを特徴とする，請求項８に記載のプラズマディスプレイ装置用シャーシベースユニット。
【請求項１０】
請求項１〜９のいずれか１項に記載のシャーシベースユニットと，
前記シャーシベースユニットに取り付けられるプラズマディスプレイパネルと，
前記シャーシベースユニットに取り付けられる一つ以上のプリント回路基板とを含むことを特徴とする，プラズマディスプレイ装置。
【発明の詳細な説明】
【技術分野】
【０００１】
本発明は，プラズマディスプレイ装置用のシャーシベースユニット（ｃｈａｓｓｉｓ  ｂａｓｅ  ｕｎｉｔ）及びプラズマディスプレイ装置に関し，さらに詳しくは，向上した生産性と剛性を備えるシャーシベースユニット及びこれを用いたプラズマディスプレイ装置に関する。
【背景技術】
【０００２】
プラズマディスプレイ装置は，プラズマ放電を用いて所望の画像を表示する装置である。このようなプラズマディスプレイ装置は，外部電源駆動によるプラズマ放電によって所望の画像が表示されるプラズマディスプレイパネル（ｐｌａｓｍａ  ｄｉｓｐｌａｙ  ｐａｎｅｌ，以下「ＰＤＰ」という）と，その前面でＰＤＰを堅固に支持するシャーシベースと，ＰＤＰを駆動するためにシャーシベースの後面に取り付けられる回路基板とを含んで構成される。
【０００３】
また，シャーシベースには，ＰＤＰ及び回路基板の他に，付属装置などが取り付けられることもある。このような付属装置としては，ＰＤＰ，回路基板及びシャーシベースが結合した結合体（通常，ＰＤＰモジュールという）に取り付けられる前後カバーパネル（ｆｒｏｎｔ  ａｎｄ  ｒｅａｒ  ｃｏｖｅｒ  ｐａｎｅｌｓ）を一例として挙げることができる。
【０００４】
この種の付帯付属装置が結合できるように，シャーシベースのコーナーには耳部材が付いていることもある。ＰＤＰ及び回路基板が同一の構造でシャーシベースに結合する場合でも，ＰＤＰ装置の仕様（ｓｐｅｃｉｆｉｃａｔｉｏｎ）によって，シャーシベースのコーナーに耳部材の形成が要求される場合と要求されない場合に分けられる。
【発明の開示】
【発明が解決しようとする課題】
【０００５】
しかし，従来，シャーシベースの耳部材は，シャーシベースと一体化して生産されている。したがって，上述した２つの場合に対応するために，そのコーナー以外の内部構造（ｉｎｔｅｒｉｏｒ  ｒｅｇｉｏｎ）は同一であるとしても，コーナーに耳部材が付いている必要があるかによって別個のシャーシベースを製作する必要がある。さらに，要求される耳部材の形状が異なる場合，形状毎に別のシャーシベースを製作する必要がある。
【０００６】
また，ＰＤＰ及び回路基板を堅固に支持するために，シャーシベースには十分な剛性が要求される。このような剛性確保のためにシャーシベースの各辺（ｅｄｇｅ）は，シャーシベースの内面（ｉｎｔｅｒｉｏｒ  ｐｌａｎｅ）に対してほぼ直角に折り曲げられて形成される。ところが，耳部材がシャーシベースに一体化して生産される場合，各辺は互いに連結できなくなる。
【０００７】
ＰＤＰ装置のシャーシベースのコーナーに耳部材が付いている必要があるか否かに関わらない形状のシャーシベースを製作することにより，ＰＤＰ装置の生産性が大幅に向上できることとなる。
【０００８】
また，シャーシベースの各辺を互いに堅固に連結できれば，シャーシベースの剛性（特に，ねじり剛性）を非常に向上させることができる。
このように改善されたシャーシベースを用いて組み立てられるＰＤＰ装置は，その生産性と剛性を向上させることができる。
【０００９】
そこで本発明は，このような問題に鑑みてなされたものであり，その目的とするところは，より向上した生産性と剛性を保有するシャーシベースおよびプラズマディスプレイ装置を提供することにある。
【課題を解決するための手段】
【００１０】
上記目的を達成するために，本発明に係るプラズマディスプレイ装置は，後述する本発明に係るシャーシベースユニットと，シャーシベースユニットに取り付けられるプラズマディスプレイパネル（ＰＤＰ）と，シャーシベースユニットに取り付けられる一つ以上のプリント回路基板（ＰＣＢ）とを含んでなる。
【００１１】
本発明に係るシャーシベースユニットは，互いに隣接した２辺を含む複数の辺を備えるが，隣接した２辺それぞれはシャーシベースの内面に対して所定の角度に折り曲げられた側壁を含み，隣接した２辺の側壁は断ち切れているシャーシベースと，シャーシベースとは別の部材であって，隣接した２辺間のコーナーに結合した連結部材である耳部材（ｅａｒ  ｍｅｍｂｅｒ）とを含むことができる。
【００１２】
この際，前記隣接した２辺の側壁は耳部材によって互いに連結されることが好ましい。また，シャーシベースの内面は耳部材と結合することがさらに好ましい。また，耳部材は，互いに連結された第１，２側壁を含むことが好ましく，この際，隣接した２辺の側壁は第１，２側壁にそれぞれ連結されることが好ましい。
【００１３】
本発明に係るシャーシベースユニットは，互いに隣接した２辺を含む複数の辺を備えるが，隣接した２辺それぞれはシャーシベースの内面に対して所定の角度に折り曲げられた側壁を含み，隣接した２辺の側壁は断ち切れているシャーシベースと，シャーシベースとは別の部材であって，隣接した２辺の側壁を連結する連結部材とを含むものと理解できる。
【００１４】
連結部材は互いに連結された第１，２側壁を含むことが好ましく，この際，隣接した２辺の側壁は第１，２側壁にそれぞれ連結されることが好ましい。また，シャーシベースの内面は前記連結部材と結合することがさらに好ましい。また，連結部材は隣接した２辺間のコーナーに結合することが空間活用の面で有利である。
【００１５】
シャーシベースの外周面の外に突出した突出部が連結部材に備えられ，突出部の内部に一つ以上の貫通孔が設けられることにより，このような連結部材は耳の役割を兼備することができる。
【発明の効果】
【００１６】
以上説明したように本発明によれば，同一のシャーシベースの隣接した２辺間のコーナーに様々な形の連結部材及び／または耳部材を結合することにより，様々な形のシャーシベースユニットを実現することができる。
【００１７】
また，シャーシベースの隣接した２つの側壁を互いに連結することにより，シャーシベースユニット及びＰＤＰ装置の強度を向上させることができる。特に，シャーシベースの隣接した２つの側壁を連結する連結部材に，互いに連結された２つの側壁を形成し，シャーシベースの側壁が連結部材の側壁を介して連結されるようにすることにより，シャーシベースユニット及びＰＤＰ装置の強度をさらに向上させることができる。
【発明を実施するための最良の形態】
【００１８】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１９】
図１は本発明の実施形態に係るプラズマディスプレイ装置の構成を示す斜視図である。図１に示したように，本発明の実施形態に係るプラズマディスプレイ装置は，少なくとも，本発明の実施形態に係るシャーシベースユニット１００と，シャーシベースユニット１００に取り付けられるプラズマディスプレイパネル（ＰＤＰ）１９０と，シャーシベースユニット１００に取り付けられる一つ以上のプリント回路基板（ＰＣＢ）１９５とを含む。
【００２０】
本発明の実施形態に係るシャーシベースユニット１００は，シャーシベース１６０と耳部材１７１を含む。
【００２１】
シャーシベース１６０は，内面１５０の上下左右に四つの辺１１０，１２０，１３０，１４０を含む。したがって，４対の隣接した２辺１１０と１３０，１３０と１２０，１２０と１４０，１４０と１１０とからなる。これらの各辺は，内面１５０に対して所定の角度（例えば９０°）に折り曲げられた側壁（ｓｉｄｅ  ｗａｌｌ）１１５，１２５，１３５，１４５を含む。
【００２２】
上辺１１０の側壁を第１側壁１１５，下辺１２０の側壁を第２側壁１２５，左辺１３０の側壁を第３側壁１３５，右辺１４０の側壁を第４側壁１４５とそれぞれ称する。
【００２３】
上辺１１０と下辺１２０を上下対称となるように形成し，かつ左辺１３０と右辺１４０を左右対称となるように形成することができる。また，上辺１１０と右辺１４０間のコーナーに関する本発明の実施形態の特徴は，上辺１１０と左辺１３０間のコーナー，左辺１３０と下辺１２０間のコーナー，右辺１４０と下辺１２０間のコーナーにそれぞれ対称的に適用することができる。
【００２４】
次に，本発明の実施形態に係るシャーシベースユニット１００における上辺１１０と右辺１４０間のコーナーの特徴について詳細に説明する。他の部位のコーナーについては，下記の説明より，当業者はその特徴を容易に理解することができる。
【００２５】
図２は図１のＡ部分の本発明の第１実施形態に係る拡大斜視図，図３は図２のＢ方向から見た斜視図，図４は図２の分解斜視図である。図２〜図４に示すように，本発明の実施形態によるシャーシベースユニット１００は，シャーシベース１６０と耳部材１７１を含む。
【００２６】
シャーシベース１６０の第１側壁（すなわち，上辺１１０の側壁）と第４側壁１４５（すなわち，右辺１４０の側壁）はそれぞれシャーシベース１６０の内面１５０に対して直角に折り曲げられている。そして，第１側壁１１５，第４側壁１４５は断ち切れている。このようなシャーシベース１６０の上辺１１０と右辺１４０間のコーナーに耳部材１７１が結合する。
【００２７】
耳部材１７０は，図面上の上側と右側にそれぞれ側壁２１０，２２０を含んでいる。上側壁２１０と右側壁２２０は互いに連結されており，これらの側壁２１０，２２０は耳部材１７１の底板２３０に対して直角に折り曲げられている。
【００２８】
シャーシベース１６０の第１側壁１１５は耳部材１７１の上側壁２１０に，シャーシベース１６０の第４側壁１４５は耳部材１７１の右側壁２２０にそれぞれ連結されている。耳部材１７１の底板２３０は，シャーシベース１６０の内面１５０に結合している。
【００２９】
シャーシベース１６０と耳部材１７１が側壁１１５，１４５，２１０，２２０を介して結合することにより，これらの間の結合強度が向上する。さらに，耳部材１７１の２つの側壁２１０，２２０が互いに連結されることにより，シャーシベース１６０と耳部材１７１が結合したシャーシベースユニット１００の強度（特に，ねじり強度）が向上する。また，耳部材１７１の底板２３０とシャーシベース１６０の内面１５０が互いに結合することにより，コーナー部位の剛性がさらに向上する。
【００３０】
本発明の実施形態に係るシャーシベースユニット１００において，耳部材１７１は，シャーシベース１６０の隣接した２辺１１０，１４０の側壁１１５，１４５を連結する連結部材１７１として把握できる。２つの側壁１１５，１４５を連結することにより，シャーシベースユニット１００の強度が向上する。
【００３１】
また，連結部材１７１がシャーシベース１６０の隣接した２辺１１０，１４０間のコーナーに結合することにより，シャーシベースユニット１００の内部空間活用度が増加する。また，連結部材１７１が，シャーシベース１６０の外周面の外に突出した突出部２４０を備え，突出部２４０に一つ以上の貫通孔２５０を備えることにより，他の付属装置（図示せず）を装着するための耳の役割を果たすことができる。
【００３２】
本発明の一実施形態に係るシャーシベースユニット１００において，シャーシベース１６０と耳部材１７１，すなわち連結部材１７１との結合は，設定された位置２６０でスクリュー（ｓｃｒｅｗ），リベット（ｒｉｖｅｔｉｎｇ），溶接（ｗｅｌｄｉｎｇ），その他堅固な結合を許容する任意の結合方式で結合できる。
【００３３】
前記耳部材１７１，すなわち連結部材１７１の突出部２４０の形状及び貫通孔２５０の位置は要求仕様に応じて様々に形成することができる。
【００３４】
次に，本発明の第２実施形態に係るシャーシベースユニットについて図５及び図６を参照して説明する。図５は図１のＡ部分の本発明の第２実施形態に係る拡大斜視図，図６は図５のＣ方向から見た斜視図である。
【００３５】
上述した本発明の第１実施形態に係るシャーシベースユニット１００について説明した特徴は，図５及び図６に示した本発明の第２実施形態に係るシャーシベースユニット５００においても実現されており，このような本発明の第２実施形態の第１実施形態との共通特徴は，当業者であれば図５及び図６を参照して自明に理解することができる。
【００３６】
但し，図５及び図６に示すように，本発明の第２実施形態に係るシャーシベースユニット５００は，使用される耳部材１７２，すなわち連結部材１７２の側壁５１０，５２０が互いに連結されていない。
【００３７】
ところが，このような第２実施形態に係るシャーシベースユニット５００によっても，第１実施形態との共通特徴に基づいて第１実施形態の様々な利点を享受することができる。例えば，シャーシベース１６０とは別の部材として耳部材１７２を使用することにより，ＰＤＰ装置の生産性の増加効果を享受することができる。
【００３８】
次に，本発明の第３実施形態に係るシャーシベースユニットについて図７及び図８を参照して説明する。図７は図１のＡ部分の本発明の第３実施形態に係る拡大斜視図，図８は図７のＤ方向から見た斜視図である。
【００３９】
上述した本発明の第１実施形態に係るシャーシベースユニット１００について説明した特徴は，図７及び図８に示した本発明の第３実施形態に係るシャーシベースユニット７００でも実現されており，本発明の第３実施形態と第１実施形態との共通特徴は，当業者であれば図７及び図８を参照して自明に理解することができる。
【００４０】
図７及び図８に示したように，本発明の第３実施形態に係るシャーシベースユニット７００は，使用される連結部材１７３がシャーシベース１６０の外周面の外に突出した突出部を備えていない。
【００４１】
しかし，このような第３実施形態に係るシャーシベースユニット７００によっても，第１実施形態との共通特徴に基づいて第１実施形態の様々な利点を享受することができる。例えば，シャーシベース１６０の隣接した２側壁１１５，１４５を連結部材１７３の２つの側壁７１０，７２０によって互いに堅固に連結することにより，さらに堅固なＰＤＰ装置を生産することができる。それだけでなく，シャーシベース１６０とは別の部材として耳部材７１３を使用することにより，ＰＤＰ装置の生産性の増加効果を享受することができる。
【００４２】
上述した第１，２，３実施形態に係るシャーシベースユニット１００，５００，７００から分かるように，同一のシャーシベース１６０に様々な形の連結部材／耳部材１７１，１７２，１７３を結合することにより，様々な形のシャーシベースユニット１００，５００，７００を実現することができる。
【００４３】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００４４】
本発明は，プラズマディスプレイ装置用シャーシベースユニットおよびプラズマディスプレイ装置に適用可能である。
【図面の簡単な説明】
【００４５】
【図１】本発明の実施形態に係るプラズマディスプレイ装置の構成を示す斜視図である。
【図２】図１のＡ部分の本発明の第１実施形態に係る拡大斜視図である。
【図３】図２のＢ方向から見た斜視図である。
【図４】図２の分解斜視図である。
【図５】図１のＡ部分の本発明の第２実施形態に係る拡大斜視図である。
【図６】図５のＣ方向から見た斜視図である。
【図７】図１のＡ部分の本発明の第３実施形態に係る拡大斜視図である。
【図８】図７のＤ方向から見た斜視図である。
【符号の説明】
【００４６】
１００      シャーシベースユニット
５００      シャーシベースユニット
７００      シャーシベースユニット
１１５      側壁
１２５      側壁
１３５      側壁
１４５      側壁
１５０      内面
１６０      シャーシベース
１７１      連結部材
１７２      連結部材
１７３      連結部材
１９０      プラズマディスプレイパネル
１９５      プリント回路基板
２３０      底板
２４０      突出部
【図１】
2005115381.tif 000003
【図２】
2005115381.tif 000004
【図３】
2005115381.tif 000005
【図４】
2005115381.tif 000006
【図５】
2005115381.tif 000007
【図６】
2005115381.tif 000008
【図７】
2005115381.tif 000009
【図８】
2005115381.tif 000010